(57)【要約】【課題】缶の残留内容物を容易かつ短時間に洗浄することができる缶蓋を提供すること。【解決手段】缶蓋本体１０の上面に、上方に向って凸とされたリベット１１と、開口部１３を画成するスコア２０と、前記開口部１３の上に一端部１７ａ側が重なるように前記リベット１１に取り付けられたタブ１７とを備える缶蓋１であって、前記スコア２０は、第１のスコア２１と、第２のスコア２２と、第３のスコア２３とを備え、前記第１のスコア２１は、前記第３のスコア２３とともに前記タブの一端部１７ａ側が重なる主開口部１４を画成するとともに、前記第２のスコア２２は、前記第３のスコア２３とともに前記リベット１１を挟んで前記主開口部１４と反対側の領域に形成される副開口部１５を画成し、前記第１のスコア２１と前記第２のスコア２２とは、前記第３のスコア２３を介して接続されていることを特徴とする。【選択図】図１
2008168923.tif 000002
【特許請求の範囲】
【請求項１】
缶蓋本体の上面に、上方に向って凸とされたリベットと、開口部を画成するスコアと、前記開口部の上に一端部側が重なるように前記リベットに取り付けられたタブとを備える缶蓋であって、
前記スコアは、第１のスコアと、第２のスコアと、第３のスコアとを備え、
前記第１のスコアは、前記第３のスコアとともに前記タブの一端部側が重なる主開口部を画成するとともに、
前記第２のスコアは、前記第３のスコアとともに前記リベットを挟んで前記主開口部と反対側の領域に形成される副開口部を画成し、
前記第１のスコアと前記第２のスコアとは、前記第３のスコアを介して接続されていることを特徴とする缶蓋。
【請求項２】
請求項１記載の缶蓋であって、
前記第１のスコアは、平面視したときに楕円形状の一部を備え、第１のスコアの一端部は前記リベットの周縁部に配置されていることを特徴とする缶蓋。
【請求項３】
請求項１又は請求項２記載の缶蓋であって、
前記第２のスコアは、平面視したときにリベットを中心とする円形状の一部をなす円弧を備えていることを特徴とする缶蓋。
【請求項４】
請求項１から請求項３のいずれかに記載の缶蓋であって、
前記第１のスコアが前記第３のスコアと接続される第１の接続部における前記第１のスコアの接線は、前記第１の接続部における第３のスコアの接線と同一とされ、
前記第２のスコアが前記第３のスコアと接続される第２の接続部における前記第２のスコアの接線は、前記第２の接続部における第３のスコアの接線と同一とされていることを特徴とする缶蓋。
【請求項５】
請求項１から請求項４のいずれかに記載の缶蓋であって、
前記第３のスコアのリベット側の位置には、缶蓋本体の下方に突出して形成されたビードを備えていることを特徴とする缶蓋。
【発明の詳細な説明】
【技術分野】
【０００１】
本発明は、缶体の開口部に巻締められる缶蓋に関するものである。
【背景技術】
【０００２】
従来、缶蓋には良好な注ぎ性を具備させるために、種々の手段が講じられており、例えば下記特許文献１に示されるような、缶蓋本体の上面に、上方に向って凸とされたリベットと、主スコアにより画成された主開口部と、副スコアにより画成されるとともに、前記リベットを挟んで前記主開口部と反対側の領域に張り出した副開口部とが形成され、前記主開口部の上に一端部側が重なるように前記リベットに取り付けられたタブを備える構成が知られている。
一方、近年、内容物である飲料を飲んだ後の缶のリサイクル率が向上するなか、衛生的なリサイクルやマナーの観点から缶内に残留する残留内容物を低減するとともに、缶内の残留内容物を短時間で効率的に洗浄、排出させたいという強い社会的ニーズがあり、そのための具体的手段の実現が待たれている。
【特許文献１】特表２００３−５１７９７４号公報
【発明の開示】
【発明が解決しようとする課題】
【０００３】
しかしながら、従来の缶蓋では、開口部を大きく開口させて充分な副開口部を形成させることが困難な場合があり、この副開口部を大きくして内容物を消費するための注ぎ性を向上するために副開口部を構成するスコアを長くした場合には、このスコアを全長に亙って破断させることができない虞があった。
【０００４】
本発明は、このような事情を考慮してなされたもので、缶蓋の開口部を大きく開口させて缶の残留内容物を容易かつ短時間に洗浄することができ、好ましくは飲用等内容物を消費する際の排出を容易にして注ぎ性を向上させることができる缶蓋を提供することを目的とする。
【課題を解決するための手段】
【０００５】
このような課題を解決して、前記目的を達成するために、請求項１記載の発明は、缶蓋本体の上面に、上方に向って凸とされたリベットと、開口部を画成するスコアと、前記開口部の上に一端部側が重なるように前記リベットに取り付けられたタブとを備える缶蓋であって、前記スコアは、第１のスコアと、第２のスコアと、第３のスコアとを備え、前記第１のスコアは、前記第３のスコアとともに前記タブの一端部側が重なる主開口部を画成するとともに、前記第２のスコアは、前記第３のスコアとともに前記リベットを挟んで前記主開口部と反対側の領域に形成される副開口部を画成し、前記第１のスコアと前記第２のスコアとは、前記第３のスコアを介して接続されていることを特徴とする。
【０００６】
この発明に係る缶蓋によれば、缶蓋本体に形成される開口部が、第１のスコアと第３のスコアとにより画成されてタブの一端部側が重なる主開口部と、第２のスコアと第３のスコアとにより画成されてリベットを挟んで主開口部と反対側の領域に形成される副開口部とを備えており、第１のスコアと第２のスコアが第３のスコアにより接続されているので、主開口部と副開口部とがリベットを挟んだ反対側の領域に形成される。  その結果、スコアを全長に亙って破断させて開口部を開口したときに、缶蓋には主開口部と副開口部とからなる大きな開口部が形成されて、副開口部から缶内に流入自在とされる空気により、内容物が主開口部から効率的に排出される。
また、第１のスコアと第２のスコアとが、第３のスコアを介して接続されているので、主開口部を開口して缶蓋に対して略垂直に立ち上げられたタブを第１のスコアから第２のスコア方向にねじって回動させることにより第３のスコアから第２のスコアに連続して破断が進行し、その結果、大きな力を要することなく副開口部を容易かつ確実に開口させることができる。
【０００７】
請求項２記載の発明は、請求項１記載の缶蓋であって、前記第１のスコアは、平面視したときに楕円形状の一部を備え、第１のスコアの一端部は前記リベットの周縁部に配置されていることを特徴とする。
【０００８】
この発明に係る缶蓋によれば、第１のスコアが楕円形状の一部を備えているので、開口部の面積を大きくすることが可能とされる。
また、副開口部を開口させない場合であっても、副開口部が備えられていない従来からある缶蓋と同等の大きさに開口させることが可能になり、少なくとも当該従来の缶蓋の注ぎ性を確保することができる。これにより、需要者は状況に応じて副開口部を開栓するか否かの選択をすることが可能になり、取扱い性の良好な缶蓋を提供することができる。
【０００９】
請求項３記載の発明は、請求項１又は請求項２記載の缶蓋であって、前記第２のスコアは、平面視したときにリベットを中心とする円形状の一部をなす円弧を備えていることを特徴とする。
【００１０】
この発明に係る缶蓋によれば、第２のスコアがリベットを中心とする円形状の一部をなす円弧を備えているので、缶蓋に対して略垂直に立ち上げられたタブをリベット廻りにねじることにより第２のスコアの内周側を押圧して第２のスコアを破断させるとともに第２のスコアの内周側を下方に移動させることにより、副開口部を容易かつ確実に開口させることができる。
【００１１】
請求項４記載の発明は、請求項１から請求項３のいずれかに記載の缶蓋であって、前記第１のスコアが前記第３のスコアと接続される第１の接続部における前記第１のスコアの接線は、前記第１の接続部における第３のスコアの接線と同一とされ、前記第２のスコアが前記第３のスコアと接続される第２の接続部における前記第２のスコアの接線は、前記第２の接続部における第３のスコアの接線と同一とされていることを特徴とする。
【００１２】
この発明に係る缶蓋によれば、第１の接続部における第１のスコアの接線と第３のスコアの接線と、第２の接続部における第２のスコアの接線と第３のスコアの接線とが、それぞれ同一とされることによりスコアがスムースに接続されているので、主開口部を開口する場合のタブの引き上げ部を引き上げることによる第１のスコアの破断や、第３のスコアから第２のスコアにかけてスコアを破断させて副開口部を開口する場合におけるタブをリベット廻りにねじる動作を容易かつスムースに行なうことができる。
【００１３】
請求項５記載の発明は、請求項１から請求項４のいずれかに記載の缶蓋であって、前記第３のスコアのリベット側の位置には、缶蓋本体の下方に突出して形成されたビードを備えていることを特徴とする。
【００１４】
この発明に係る缶蓋によれば、第３のスコアのリベット側の位置に缶蓋本体の下方に突出するビードが形成されているので、開口部を大きく形成するためにスコアの長さが長くなることにより缶蓋の強度が低下しているにも関わらず、缶に内圧がかかった場合に缶蓋がドーム状に変形するのが抑制される。また、リベット廻りにタブをねじる場合に第３のスコアとリベットの間に第３のスコアの破断を阻害するような折れ曲がり等の変形が発生することなく、タブをねじった力が第３のスコアに伝達されるとともに第３のスコアを破断することが可能とされ、その結果、タブをねじることによって副開口部の開口を容易かつ安定して行なうことができる。
【発明の効果】
【００１５】
この発明によれば、大きな開口部を開口可能とすることにより、内容物が排出された後の缶内の残留内容物の洗浄を容易かつ短時間に行なうことが可能とされ、また、良好な注ぎ性によって効率的な内容物の排出を具備させることができる。
【発明を実施するための最良の形態】
【００１６】
以下、図１から図３を参照し、この発明の第１の実施形態について説明する。
図１は第１の実施形態に係る缶蓋を示す図であり、符号１は缶蓋を、符号１０は缶蓋本体を示している。また、図２は、缶蓋１の概略を説明する図であり、缶蓋本体１０からタブ１７を除いた状態（タブ１７は２点鎖線による仮想線で表示）を示す図である。  缶蓋１は、図１に示すように、缶蓋本体１０の上面１０ａに、上方に向けて凸とされたリベット１１と、開口部１３を画成するスコア２０と、開口部１３の上に一端部１７ａ側が重なるようにリベット１１に取り付けられたタブ１７とを備えており、缶蓋本体１０及びタブ１７は、それぞれアルミニウム若しくはアルミニウム合金により形成されている。
【００１７】
スコア２０は、図１、図２（Ａ）に示すように、第１のスコア２１と、第２のスコア２２と、第３のスコア２３とを備えており、スコア２０が破断された場合には、缶蓋本体１０との接続部分を残してスコア２０の破断部によって囲まれた開口片１０ｃが形成されるようになっており、第１のスコア２１は、第３のスコア２３とともにタブ１７の一端部１７ａ側が重なる主開口部１４を画成し、第２のスコア２２は第３のスコア２３とともにリベット１１を挟んで主開口部１４と反対側の領域に形成される副開口部１５を画成し、第１のスコア２１と第２のスコア２２とは、直線、曲線、または曲線と直線とから構成された第３のスコア２３を介して緩やかに接続されている。
【００１８】
ここで、開口部１３は、主開口部１４と副開口部１５とから構成されるものであり、主開口部１４と副開口部１５のそれぞれを構成する領域は、開口部１３を開口するときにスコア２０がどこまで破断されるかによって変動するため、主開口部１４と副開口部１５の領域の明確な区分は必要とされない。
【００１９】
また、缶蓋本体１０の外周縁部には、全周に亙って凹溝１８が形成されるとともに、この凹溝１８の外周縁部に連なって、缶蓋本体上面１０ａの上方に向って延び、かつ缶蓋本体上面１０ａの径方向外方に折り返された折り返し部１９が形成されている。
タブ１７の他端部１７ｂには、フィンガーホール１７ｃが形成されている。また、缶蓋本体上面１０ａのリベット１１を挟んで主開口部１４と反対側の領域には、凹溝１８とタブ１７の他端縁１７ｄとの間に、指かけ凹部１０ｂが形成されている。
【００２０】
この明細書において、缶蓋本体１０を平面視したときに、タブ１７の他端縁（引き上げ部）１７ｄがリベット１１を挟んで開口部１３の反対側に形成された指かけ凹部１０ｂタブ１７の上方に配置されるとともに一端部１７ａ側が開口部１３に重なってタブ１７が開口部１３を開口するのに適した位置に配置されたときに、リベット１１を通過しタブ１７の長手方向に伸びる缶蓋本体１０上の軸線をＹ軸とし、缶蓋本体１０上のＹ軸に直交しリベット１１を通過する軸線をＸ軸と定義するものとする。
【００２１】
第１のスコア２１は、缶蓋本体１０を平面視したときに、Ｙ軸と交差する方向、例えばＹ軸と直交する方向に長軸を有する横楕円形状（以下、楕円形状という）の一部を備えるとともにその一端部２１ｂは缶蓋本体上面１０ａにおけるリベット１１の周縁部に位置されており、上述のように第３のスコア２３とともに開口部１３の主開口部１４を画成している。リベット１１の周縁部は、いわゆるコイニング部とされ、缶蓋本体上面１０ａの中で他の部位よりも硬度が高く形成されている。
また、第１のスコア２１の他端部は、第３のスコア２３と接続される第１の接続部２１ａとされており、この実施の形態においては楕円形状の上に配置されている。
【００２２】
第２のスコア２２は、缶蓋本体１０を平面視したときに、リベット１１を中心としたタブ１７の一端部１７ａよりも大きな径を有する円形状の一部からなる円弧を備えた形状とされるとともに第２のスコア２２の終端部２２ｂは、例えば、タブ１７の一端部１７ａが主開口部１４の上に位置された場合のＹ軸上に配置され、かつ径方向の位置はフィンガーホール１７ｃの径方向中央部とされていて、上述のように第３のスコア２３とともに開口部１３の副開口部１５を画成している。
なお、第２のスコア２２の終端部２２ｂは、図２（Ａ）に示すように、リベット１１を中心としてＹ軸を起点（０°）として時計回り方向を正とした角度θ１が、−３０°から＋４５°の範囲内となるように配置してもよく、θ１を−１５°から＋２０°の範囲内に配置することがさらに好適である。
第２のスコア２２の終端部２２ｂの位置を上記構成とすることにより、終端部２２ｂと第１のスコア２１（第１の接続部２１ａと反対側の部分）の間に破線で示したような折り曲げ１０ｄが形成され、その結果、リベット１１が缶蓋上面１０から缶の内方に大きく進入可能となってリベット１１及びその周辺が副開口部１５として形成されて、大きな開口部１３を確保することができる。
【００２３】
第２のスコア２２は、第２のスコア２２が第３のスコア２３と接続される第２の接続部２２ａを始端部（開口する際に破断が開始される側の端部）とされており、第２のスコア２２は、第２の接続部２２ａからリベット１１を挟んで主開口部１４と反対側に向けて延在して形成されている。
【００２４】
そして、第１のスコア２１の第１の接続部２１ａと第２のスコア２２の第２の接続部２２ａとが第３のスコア２３を介して緩やかに接続されることにより、第１の接続部２１ａと第２の接続部２２ａにおいて開口に要する力に大きな変化が生じることなくスムースに主開口部１４と副開口部１５とからなる開口部１３が形成されるようになっている。
【００２５】
第１の実施形態における第３のスコア２３は、第１のスコア２１を構成する楕円形状の線上に配置された第１の接続部２１ａにおける接線と、第２のスコアを構成する円弧の線上に配置された第２の接続部２２ａにおける接線と同一の接線を備えており、第１の接続部２１ａが第１のスコア２１と第３のスコア２３との接点とされるとともに、第２の接続部２２ａが第２のスコア２２と第３のスコア２３との接点とされている。
【００２６】
ここで、第１の接続部２１ａにおける第１のスコア２１の接線は、第１の接続部２１ａと第１のスコア２１上の点Ｑの二点を通過する直線を仮想したときに、点Ｑを第１の接続部２１ａに限りなく近づけていったときの直線の極限として定義され、この定義は第１の接続部２１ａにおける第３のスコア２３の接線についても同様である。そして、第１の接続部２１ａにおいて第３のスコア２３と第１のスコア２１が同一の接線を有する場合に、第３のスコア２３は第１の接続部２１ａにおいて第１のスコア２１と接するとされ、その場合の第１の接続部２１ａが第１のスコア２１と第３のスコア２３の接点とされる。
このことは、第２の接続部２２ａにおける第２のスコア２２の接線及び第２の接続部２２ａにより定義される第２のスコア２２と第３のスコア２３の接点に関しても同様である。
【００２７】
すなわち、第３のスコア２３は、その両端部において接線を共有して第１のスコア２１及び第２のスコア２２に接続されている。なお、第３のスコア２３が直線により構成される場合には、第３のスコア２３を構成する直線が、第１の接続部２１ａ及び第２の接続部２２ａにおける第３のスコア２３の接線とされる。
【００２８】
また、第１の接続部２１ａと第２の接続部２２ａとを接続する第３のスコア２３が単一の直線によって定義が困難な場合は、第１の接続部２１ａ側の端部と第２の接続部２２ａ側のいずれか一方の端部近傍又は両側の端部近傍を緩やかな曲線により構成し、又は第３のスコア２３の全長又は一部を緩やかな曲線により構成することによって、第３のスコア２３と第１のスコア２１、及び第３のスコア２３と第２のスコア２２が、第１の接続部２１ａ及び第２の接続部２２ａにおいて共通する接線、すなわち同一の接線を有するように調整してもよく、その場合、第１の接続部２１ａは上記楕円形状の上のみならず楕円形状の近傍に配置してもよく、又第２の接続部２２ａについても上記円弧の上のみならず円弧の近傍に配置してもよい。
【００２９】
第１のスコア２１の接線と第３のスコア２３の接線、及び第２のスコア２２の接線と第３のスコア２３の接線が、第１の接続部２１ａまたは第２の接続部２２ａにおいて同一であるとは、第１の接続部２１ａ、第２の接続部２２ａにおいて第１のスコア２１と第３のスコア２３、第２のスコア２２と第３のスコア２３とが段差や屈曲を介することなくスムースに接続される趣旨であり、数学的微差や製造上の精度誤差が含まれていても許容される。
【００３０】
また、缶蓋本体１０の上面１０ａの第３のスコア２３のリベット１１側、すなわち第３のスコア２３とリベット１１との間には、図２（Ｂ）に示すように、缶蓋本体１０の下側（缶に巻締められた場合における缶の内方側）に突出するとともに第３のスコア２３に沿って延在するビード２５が形成されている。
【００３１】
ビード２５は、例えば、Ｘ軸より主開口部１４側に３ｍｍのところに仮想したＸ軸と平行な補助線Ｘ１よりも副開口部１５側に形成され、ビード２５の幅方向の中心は第３のスコア２３の主スコア（分断されるスコア）からの距離Ａがリベット１１側に１．５ｍｍから７．０ｍｍの範囲に配置されることが好ましく、２．０ｍｍから４．０ｍｍに配置されることがさらに好適である。
【００３２】
また、ビード２５は、延在する方向の長さＬを１．０から１０．０ｍｍの範囲とすることが好適とされ、２．０ｍｍから５．０ｍｍの範囲とすることがさらに好適であり、また、幅Ｗについては０．３ｍｍから３．０ｍｍの範囲とすることが好適とされ、０．５ｍｍから１．０ｍｍの範囲とすることがさらに好適である。
また、ビード２５の深さ（塑性加工したときの缶蓋上面１０ａ側の凹部の深さ）Ｄは、図２（Ｃ）に示すように、缶蓋１の搬送時の取扱性から０．０１ｍｍから０．５０ｍｍの範囲とすることが好適とされ、０．０５ｍｍから０．２０ｍｍの範囲とすることがさらに好適である。
なお、ビード２５は、第３のスコア２３に加えて、第２のスコア２２に対応する範囲に形成されてもよく、その場合には、第２のスコア２２に対応する部分については、第２のスコア２２に沿っていることが好ましい。
【００３３】
次に、以上の缶蓋の主開口部１４および副開口部１５を開口する方法について説明する。
まず、タブ１７の一端部１７ａ側が主開口部１４の上に重なった状態で、タブ１７の他端縁１７ｄを引き上げて主開口部１４を、図３（Ａ）、（Ｂ），（Ｃ）に示すように開口する。この際、スコア２０は、第１のスコア２１が破断されて開口片１０ｃ主開口部１４側が概ね開口されて開口片１０ｃが缶の内方に押し下げられる。この場合、第３のスコア２３が破断されても構わない。
【００３４】
その後、タブ１７を缶蓋本体１０の上面１０ａに対して略垂直に立ち上げた状態でリベット１１廻りに時計廻りＴ方向に回動させてねじることにより第３のスコア２３とリベット１１との間の開口片１０ｃの壁部が下方に押圧されて第３のスコア２３が引き裂かれ、第３のスコア２３を挟んでリベット１１側の開口片１０ｃの壁部が下側に押し下げられ第３のスコア２３の破断が進行する。
第３のスコア２３の破断が進行して第２の接続部２２ａまで到達すると、第２の接続部２２ａが第２のスコア２２を破断する起点として第２のスコア２２の破断が開始され終端部２２ｂに向けて順次破断が進行することにより副開口部１５が開口される。
【００３５】
以上説明したように第１の実施形態による缶蓋１によれば、タブ１７の他端縁１７ｄを引き上げることにより、缶蓋１の周方向に長軸を有する楕円形状の一部を備えた主開口部１４が開口されるので、大きな主開口部１４を容易に形成することが可能とされる。
その結果、缶の内容物を容易かつ効率的に排出させることが可能とされ、又副開口部１５を開口させた場合には、缶内への通気が容易となるため注ぎ性を向上させることができる。
【００３６】
また、副開口部１５を形成させることにより、主開口部１４のみで構成された缶蓋の開口部の１．３倍以上の開口面積を確保されるとともに缶内の空気が外部と容易に流通可能となり、その結果、洗浄用の水等を短時間で効率的に缶内に流入、排出させるとともに缶内の残留内容物を容易かつ効率的に洗浄することができる。
【００３７】
また、タブ１７の他端縁１７ｄを引き上げて第１のスコア２１を途中まで開口させて副開口部１５を開口させない場合であっても、副開口部１５が備えられていない従来からある缶蓋と同等の大きさで主開口部１４を開口させることが可能になり、少なくとも当該従来の缶蓋の注ぎ性を確保することができる。これにより、需要者においては状況に応じて副開口部１５を開栓するか否かの選択をすることが可能になり、取り扱い性の良好な缶蓋を提供することができる。
【００３８】
また、上記第１の実施形態においては、副開口部１５を開口するに際し、タブ１７を缶蓋本体１０の上面１０ａに対して略垂直に立ち上げた状態でリベット１１廻りに回動させることにより、第３のスコア２３及び第２のスコア２２を破断させるので、タブ１７を元の位置に曲げ戻すことなく、他端縁１７ｄを引き上げる動作に引き続いて第３のスコア２３及び第２のスコア２２を破断させることができ、大きな力を要することなく容易に副開口部１５を開口させることができる。
【００３９】
上記第１の実施形態に係る缶蓋１によれば、第２のスコア２２がリベット１１を中心とする円形状の一部をなす円弧を備えているので、第２のスコア２２がタブ１７の回動にともなってリベット１１から離間することがなく、タブ１７をねじることにより副開口部１５を容易かつ確実に開口させることができる。
【００４０】
上記第１の実施形態に係る缶蓋１によれば、第１の接続部２１ａにおける第１のスコア２１の接線と第３のスコア２３の接線及び第２の接続部２２ａにおける第２のスコア２２の接線と第３のスコア２３の接線がそれぞれ同一とされ、スコア２０が屈曲部や段差を有することなく緩やかに変化する直線又は曲線として形成されているので、主開口部１４を開口する場合のタブの他端部１７ｄの引き上げや、副開口部１５を開口するために第３のスコア２３と第２のスコア２２を破断させる際のタブ１７をねじる動作において指にかかる力に大きな変動が生じないので大きな力を要することなく容易かつスムースに行なうことができる。
【００４１】
したがって、タブ１７を引き上げた後にタブ１７を元の位置に曲げ戻すことなくねじり動作を行なうことにより、第３のスコア２３から第２のスコア２２の終端部２２ａまでの全域にわたってスコア２０を確実に破断させて副開口部１５を容易に開口することができる
【００４２】
第１の実施形態に係る缶蓋１によれば、開口部１３を大きく形成するためにスコアが長くされて缶蓋１の強度が低下しているにも関わらず、第３のスコアのリベット側の位置に缶蓋本体１０の下方に突出するビード２５が形成されているので、缶に内圧が印加された場合であっても缶蓋１がドーム状に変形するのが抑制される。
また、リベット１１廻りにタブ１７をねじる場合に第３のスコア２３とリベット１１の間に第３のスコア２３の破断を阻害するような折れ曲がり等の変形が発生することなく、タブ１７をねじった力が第３のスコア２３に伝達されるとともに第３のスコア２３を容易かつ確実に破断することが可能とされ、その結果、副開口部１５を容易かつ安定して開口することができる。
【００４３】
次に、この発明の第２の実施形態について説明する。図４は、第２の実施形態に係る缶蓋１の概略を説明する図であり、缶蓋本体１０からタブ１７を除いた状態（タブ１７は２点鎖線による仮想線で表示）を示す図である。
第２の実施形態に係る缶蓋本体１０が第１の実施形態と異なるのは、スコア２０を構成する第１の接続部２１ａが、第１のスコア２１が備えた楕円形状の中心を通過し、前記Ｘ軸と平行とされるＸ２軸上の前記楕円形状の中心からみたときの９時方向に配置されている点であり、その他は第１の実施形態と同様であるので同一の符号を付してその説明を省略する。
【００４４】
なお、第１のスコア２１を構成する楕円形状の中心とは、第１のスコア２１が備える楕円形状を仮想した場合に、仮想された楕円をＹ軸方向に２等分した時のＹ軸上に配置される点である。第１のスコア２１が、二つ以上の楕円形状を備えている場合には、そのいずれを仮想楕円形状とすることも可能である。
また、第１のスコア２１、第２のスコア２２のいずれか一方又は双方の第１の接続点２１ａ近傍において、第１のスコア２１と第２のスコア２２とが同一の接線を有するように直線又は曲線によって調整することも可能である。
【００４５】
第２の実施形態に係る缶蓋１によれば、第１の接続部２１ａが仮想楕円形状の中心部の９時方向に形成されていて、仮想楕円形状の中心から最も遠距離とされる長軸上の位置と略一致して形成されているので、第３のスコア２３の破断が第１の接続部２１ａから次第にリベット１１に近づくように構成され、その結果、主開口部１４を開口する場合のタブの他端部１７ｄの引き上げや第３のスコア２３の破断させる際のタブ１７をねじる動作において指にかかる力に大きな変動が生じないので大きな力を要することなく容易かつスムースに行なうことができる。
【００４６】
次に、この発明の第３の実施形態について説明する。図５は、第３の実施形態に係る缶蓋１の概略を説明する図であり、缶蓋本体１０からタブ１７を除いた状態（タブ１７は２点鎖線による仮想線で表示）を示す図である。
第３の実施形態に係る缶蓋本体１０が第１の実施形態と異なるのは、スコア２０を構成する第１の接続部２１ａが、第１のスコア２１が備えた楕円形状の長軸上に配置されている点であり、その他は第１の実施形態と同様であるので同一の符号を付してその説明を省略する。
【００４７】
なお、第３の実施形態における第１のスコア２１を構成する楕円形状の長軸とは、第１のスコア２１が備える楕円形状を仮想した場合の長軸であり、第１のスコア２１が、二つ以上の楕円形状を備えている場合には、そのいずれを仮想楕円形状とすることも可能であり、また、仮想楕円形状の短軸の一方端を第１のスコア２１が凹溝１８に最も接近する位置、いいかえると第１のスコア２１と凹溝１８との距離２１ｃが最も小さくなる点と仮定した場合の長軸とすることも可能である。
また、第１のスコア２１、第２のスコア２２のいずれか一方又は双方の第１の接続点２１ａ近傍において、第１のスコア２１と第２のスコア２２とが同一の接線を有するように直線又は曲線によって調整することも可能である。
【００４８】
第３の実施形態に係る缶蓋１によれば、第１の接続部２１ａが仮想楕円形状の長軸上に形成されているので、第３のスコア２３の破断が第１の接続部２１ａから次第にリベット１１に近づくように構成され、その結果、主開口部１４を開口する場合のタブの他端部１７ｄの引き上げや第３のスコア２３の破断させる際のタブ１７をねじる動作において指にかかる力に大きな変動が生じないので大きな力を要することなく容易かつスムースに行なうことができる。
【００４９】
次に、この発明の第４の実施形態について説明する。
図６は、第４の実施形態に係る缶蓋本体１０の概略を説明する図であり、缶蓋１からタブ１７を除いてタブ１７を仮想線により示している。
第４の実施形態が第１の実施形態と異なるのは、第３のスコア２３が、第１の接続部２１ａから第２の接続部２２ａまでの間で、タブ１７がリベット１１廻りに回動される際の第１の接続部２１ａを起点とする回動角度θ２が大きくなるにつれて、スコア２０とリベット１１との距離が次第に小さくなるらせん状に形成されている点であり、その他は第１の実施形態と同様であるので、同一の符号を付してその説明を省略する。
第４の実施形態に係る第３のスコア２３は、例えば、緩和曲線として用いられるクロソイド曲線を備えており、第２のスコア２２は、例えば、第１の実施形態と同様にリベット１１を中心とした円形状の一部をなす円弧とされている。
【００５０】
第４の実施形態に係る缶蓋１によれば、タブ１７を回動させるにしたがってタブ１７の回動に要する力を小さくして、開口部１３の開口を容易かつ確実に行なうことができる。
なお、上記第４の実施形態においては、第２のスコア２２の形状がリベット１１を中心とした円形状の一部をなす円弧を備える場合について説明したが、第３のスコア２３から第２のスコア２２の終端部２２ｂにわたる間の第３のスコア２３及び第２のスコア２２のからリベット１１までの距離を、回動角度θ２が大きくなるにつれてリベット１１に漸次接近する螺旋形状により構成してもよい。
【００５１】
なお、本発明の技術的範囲は前記第１から第４の実施形態に限定されるものではなく、本発明の趣旨を逸脱しない範囲において種々の変更を加えることが可能である。
上記実施の形態においては、第３のスコア２３とともに主開口部１４を構成する第１のスコア２１が平面視楕円形状の一部とされ、第１のスコア２１の一端部２１ｂがリベット１１の周縁部に配置される場合について説明したが、第１のスコア２１の形状については楕円形状以外の形状とされ、また、さらに第１のスコア２１の一端部２１ｂを前記周縁部以外の位置に配置することも可能である。
【００５２】
また、上記実施の形態においては、スコア２０を時計廻りＴ方向に回動することにより開口部１３が開口される場合について説明したが、反時計廻りに回動することにより開口部１３が開口される構成としてもよい。
【００５３】
また、上記実施の形態においては、第３のスコア２３とともに副開口部１５を構成する第２のスコア２２が缶蓋本体１０を平面視してリベット１１を中心とする円形状の一部をなす円弧とされる場合について説明したが、第２のスコアの形状を円弧以外の形状、例えば螺旋形状の一部とすることも可能である。
【００５４】
また、開口部１３を開口する際のスコア２０の破断において、タブ１７の他端縁１７ｄを引き上げる際に指にかかる力や、タブ１７を略垂直に立ち上げた状態でタブ１７をリベット１１廻りに回動してねじる際に指にかかる力を測定した場合に接続部２１ａ、２２ａにおいて指が大きな力の変化を受けることがなくスムースにスコア２０の破断を進行させることが可能な場合には、接続部２１ａ、２２ａにおける接続を同一の接線以外によって接続することも可能である。
【００５５】
また、上記実施の形態においては、第３のスコア２３のリベット１１側の領域に下方に突出するビード２５が形成される場合について説明したが、ビード２５を設けない構成とすることが可能であることはいうまでもない。
【００５６】
また、上記実施の形態においては、タブ１７の他端縁１７ｄを引き上げ、この引き上げ動作に続いてタブ１７をリベット１１廻りにねじって開口部１３までを開口する場合について説明したが、例えば、タブ１７を缶蓋上面１０ａに対して略垂直に立ち上げてリベット１１廻りに回動する動作のタイミングや、副開口部１５の開口を内容物の排出前に実施するか排出後に実施するか、実施するねじり動作の程度（回動角度の大きさ）や、一連の開口動作を連続して順次実施するかどうか等の缶蓋１の開口動作は自在に設定することが可能である。
【００５７】
以下、表１に、第１の実施形態に係る缶蓋１の注ぎ性に関して行なった実施例と、比較例（従来缶）との検証試験の結果を示す。
＜表１＞
開口面積（ｍｍ２）  注ぎ時間（ｓｅｃ）    注ぎ時間（ｓｅｃ）
（３５０ｍｌ缶）      （５００ｍｌ缶）
実施例    ４７５．４８            ３                    ６
比較例    ３６０．６３            ６                  １８
以上のように、副開口部１５を形成することにより、開口面積を約３１％大きくすることにより、注ぎ時間の逆数により定義される注ぎ性は、２倍から３倍に向上し、極めて大きな効果があることが確認された。
【産業上の利用可能性】
【００５８】
缶内の残留内容物を容易かつ短時間に洗浄することにより、缶のリサイクルを容易に行なうことができる。
【図面の簡単な説明】
【００５９】
【図１】本発明の第１の実施形態に係る缶蓋を説明する平面図である。
【図２】本発明の第１の実施形態に係る缶蓋を説明する図であり、（Ａ）はスコアの詳細を示す図、（Ｂ）は平面視したビードを示す図、（Ｃ）はビードの（Ｂ）におけるＺＺ断面を示す図である。
【図３】本発明の第１の実施形態に係るスコアの破断を説明する図であり、（Ａ）は第１の開口部が開口された状態の缶蓋を平面視した図を、（Ｂ）はＹ軸方向から見た（Ａ）におけるＰＰ縦断面図を、（Ｃ）はＸ軸方向から見た（Ａ）におけるＱＱ縦断面図を示す図である。
【図４】本発明の第２の実施形態に係る缶蓋を説明する平面図である。
【図５】本発明の第３の実施形態に係る缶蓋を説明する平面図である。
【図６】本発明の第４の実施形態に係る缶蓋を説明する平面図である。
【符号の説明】
【００６０】
１  缶蓋
１０  缶蓋本体
１０ａ  上面
１１  リベット
１３  開口部
１４  主開口部
１５  副開口部
１７  タブ
１７ａ  一端部
２０  スコア
２１  第１のスコア
２１ａ  第１の接続部
２１ｂ  第１のスコアの一端部
２２  第２のスコア
２２ａ  第２の接続部
２３  第３のスコア
２５  ビード
【図１】
2008168923.tif 000003
【図２】
2008168923.tif 000004
【図３】
2008168923.tif 000005
【図４】
2008168923.tif 000006
【図５】
2008168923.tif 000007
【図６】
2008168923.tif 000008